(57)【要約】【課題】スタッカの数よりも多い種類の紙幣を仕分けるものにおいて、効率良く仕分けできるようにした紙幣仕分け処理装置を提供する。【解決手段】ホッパーに載置された紙幣を最下層のものから順次取込んで搬送し、搬送通路に設けられた識別手段によって搬送紙幣の少なくとも金種を識別し、識別結果に応じて当該紙幣を複数のスタッカのいずれかに仕分けする紙幣仕分け処理装置において、前記複数のスタッカのうちの１つを除くスタッカに対してオペレータによる任意の金種割り当てを可能とするための金種指定手段を有し、前記金種指定手段によって指定された金種を該当スタッカへ仕分け搬送すると共に、指定されなかった金種の紙幣を混在状態で単一スタッカに仕分け搬送するようにし、所定条件になったときに前記金種指定手段による金種指定内容をクリアし、識別された金種の順番に応じて順次スタッカに金種を自動的に割り当てる自動設定モードに移行するように制御する制御手段を設ける。【選択図】    図３
2005165806.tif 000002
【特許請求の範囲】
【請求項１】
ホッパーに載置された紙幣を最下層のものから順次取込んで搬送し、搬送通路に設けられた識別手段によって搬送紙幣の少なくとも金種を識別し、識別結果に応じて当該紙幣を複数のスタッカのいずれかに仕分けする紙幣仕分け処理装置において、前記複数のスタッカのうちの１つを除くスタッカに対してオペレータによる任意の金種割り当てを可能とするための金種指定手段を有し、前記金種指定手段によって指定された金種を該当スタッカへ仕分け搬送すると共に、指定されなかった金種の紙幣を混在状態で単一スタッカに仕分け搬送するようにし、所定条件になったときに前記金種指定手段による金種指定内容をクリアし、識別された金種の順番に応じて順次スタッカに金種を自動的に割り当てる自動設定モードに移行するように制御する制御手段を有したことを特徴とする紙幣仕分け処理装置。
【請求項２】
前記複数のスタッカ数は３であり、このうちの２つのスタッカに対して前記金種指定手段が有効となるように制御される請求項１に記載の紙幣仕分け処理装置。
【請求項３】
ホッパーに載置された紙幣を最下層のものから順次取込んで搬送し、搬送通路に設けられた識別手段によって搬送紙幣の少なくとも金種を識別し、識別結果に応じて当該紙幣を複数のスタッカのいずれかに仕分けする紙幣仕分け処理装置において、前記複数のスタッカのうちの１つを除くスタッカに対して所定の金種割り当てを行う金種指定手段を有し、前記金種指定手段によって指定された金種を該当スタッカへ仕分け搬送すると共に、指定されなかった金種の紙幣を混在状態で単一スタッカに仕分け搬送するようにし、所定条件になったときに前記金種指定手段による金種指定内容をクリアし、識別された金種の順番に応じて順次スタッカに金種を自動的に割り当てる自動設定モードに移行するように制御する制御手段を有したことを特徴とする紙幣仕分け処理装置。
【請求項４】
ホッパーに載置された紙幣を最下層のものから順次取込んで搬送し、搬送通路に設けられた識別手段によって搬送紙幣の少なくとも金種を識別し、識別結果に応じて当該紙幣を複数のスタッカのいずれかに仕分けする紙幣仕分け処理装置において、前記複数のスタッカのうちの１つを除くスタッカに対してオペレータによる任意の金種割り当て又は所定の金種割り当てを可能とするための金種指定手段を有し、前記金種指定手段によって指定された金種を該当スタッカへ仕分け搬送すると共に、指定されなかった金種の紙幣を混在状態で単一スタッカに仕分け搬送するようにし、所定条件になったときに前記金種指定手段による金種指定内容をクリアし、前記単一スタッカに収納された紙幣の中で多い金種の順番に順次スタッカに自動的に割り当てる自動設定モードに移行するように制御する制御手段を有したことを特徴とする紙幣仕分け処理装置。
【発明の詳細な説明】
【技術分野】
【０００１】
本発明は、複数金種の紙幣を複数のスタッカ（収納部）に仕分けて収納する紙幣仕分け処理装置に関し、特に一時保留部を有さず、装置が有するスタッカの数よりも種類が多い金種の紙幣を合理的に仕分けることが可能な機能を有する紙幣仕分け処理装置に関する。
【背景技術】
【０００２】
スタッカの数（例えば３個）よりも多い種類の紙幣（例えば５金種）を簡易な処理で仕分けることを目的とした紙幣仕分け処理装置として、例えば特開平１−１６２６７５号公報（特許文献１）やＥＰ９５２５５６号公報（特許文献２）、さらにはＷＯ１６２６５０号公報（特許文献３）に示される装置がある。
【０００３】
上記文献に示される装置はいずれも、最初に繰り出された紙幣の種類を第１の単一金種用スタッカに割り当て、次に検知された種類のものを第２の単一金種用スタッカへ割り当て、3番目以降に検知された紙幣を第3の混在金種用スタッカに割り当てるようにしており、スタッカの割り当てを自動的に行うようにして、オペレータの操作に対する負担の軽減を図っている。
【０００４】
【特許文献１】特開平１−１６２６７５号公報
【特許文献２】ＥＰ９５２５５６
【特許文献３】ＷＯ０１６２６５０
【発明の開示】
【発明が解決しようとする課題】
【０００５】
上記文献に示される方式は、スタッカ毎に金種を割り当てる操作が不要であるため、操作するオペレータにとって好ましい面もあるが、次のような欠点もある。即ち、処理すべき紙幣が都合よく予め纏められていて、量の多い順に積み重ねられていれば問題ないが、処理すべき紙幣は往々にして種々の種類がランダムに混在していることの方が多い。
【０００６】
また、紙幣の金種毎の流通量が異なっていることは紛れもない事実であり、例えば日本では千円札と一万円札の流通量が多く、ヨーロッパでは１００ユーロと１０ユーロの流通量が多い。このような状況下で非常に流通量の少ない金種紙幣、例えば日本では2千円札、ヨーロッパでは５００ユーロが一番下にあったとしたら、これら金種紙幣が優先的に単一金種用スタッカに割り当てられることになる。その結果、スタッカの数に制限があることから、必然的に流通量の多い金種紙幣が混在金種用スタッカに割り当てられる可能性が高くなる。
【０００７】
このような場合、混在金種用スタッカに割り当てられて収納された金種紙幣を混在金種用スタッカから抜き出し、再度ホッパーに載置して同様な仕分け処理をすることになるが、その分量が多いので、処理に時間を要し合理的でないという問題が発生する。
【０００８】
仕分け対象とする金種の数に相当する数のスタッカを具備した装置とすれば、このような問題は発生しないが装置が大型化して、製造コストが嵩むことになる。つまり、日本においては、流通紙幣が千円、二千円、五千円、万円の４金種であるので、４個のスタッカがあれば足りるが、米国においては１＄、２＄、５＄、１０＄、２０＄、５０＄、１００＄の７金種となっており、ユーロ圏においては５ユーロ、１０ユーロ、２０ユーロ、５０ユーロ、１００ユーロ、２００ユーロ、５００ユーロの７金種となっており、米国やユーロ圏はいずれも７個のスタッカが必要となってしまう。
【０００９】
しかしながら、スタッカ数の多い構造の装置はコストが嵩むだけでなく、装置の大型化を招き、占有面積が増大して市場に受け入れ難いものとなってしまう。そのため、スタッカ数を増やすという手法は非現実的であり、その解決が望まれている。
【００１０】
本発明は上述のような事情よりなされたものであり、本発明の目的は、スタッカの数よりも多い金種の紙幣を効率良くかつ合理的に仕分けできるようにした紙幣仕分け処理装置を提供することにある。
【課題を解決するための手段】
【００１１】
本発明は、ホッパーに載置された紙幣を最下層のものから順次取込んで搬送し、搬送通路に設けられた識別手段によって搬送紙幣の少なくとも金種を識別し、識別結果に応じて当該紙幣を複数のスタッカのいずれかに仕分けする紙幣仕分け処理装置に関し、本発明の上記目的は、前記複数のスタッカのうちの１つを除くスタッカに対してオペレータによる任意の金種割り当てを可能とするための金種指定手段を有し、前記金種指定手段によって指定された金種を該当スタッカへ仕分け搬送すると共に、指定されなかった金種の紙幣を混在状態で単一スタッカに仕分け搬送するようにし、所定条件になったときに前記金種指定手段による金種指定内容をクリアし、識別された金種の順番に応じて順次スタッカに金種を自動的に割り当てる自動設定モードに移行するように制御する制御手段を設けることによって達成される。
【００１２】
また、本発明は、ホッパーに載置された紙幣を最下層のものから順次取込んで搬送し、搬送通路に設けられた識別手段によって搬送紙幣の少なくとも金種を識別し、識別結果に応じて当該紙幣を複数のスタッカのいずれかに仕分けする紙幣仕分け処理装置に関し、本発明の上記目的は、前記複数のスタッカのうちの１つを除くスタッカに対して所定の金種割り当てを行う金種指定手段を有し、前記金種指定手段によって指定された金種を該当スタッカへ仕分け搬送すると共に、指定されなかった金種の紙幣を混在状態で単一スタッカに仕分け搬送するようにし、所定条件になったときに前記金種指定手段による金種指定内容をクリアし、識別された金種の順番に応じて順次スタッカに金種を自動的に割り当てる自動設定モードに移行するように制御する制御手段を設けることによって達成される。
【００１３】
更に、本発明の上記目的は、前記複数のスタッカのうちの１つを除くスタッカに対してオペレータによる任意の金種割り当て又は所定の金種割り当てを可能とするための金種指定手段を有し、前記金種指定手段によって指定された金種を該当スタッカへ仕分け搬送すると共に、指定されなかった金種の紙幣を混在状態で単一スタッカに仕分け搬送するようにし、所定条件になったときに前記金種指定手段による金種指定内容をクリアし、前記単一スタッカに収納された紙幣の中で多い金種の順番に順次スタッカに自動的に割り当てる自動設定モードに移行するように制御する制御手段を設けることによって達成される。
【発明の効果】
【００１４】
本発明は、紙幣の流通量が金種によって相当な差があることに着目し、紙幣仕分けの初期段階においては流通量の多い金種をオペレータの手（若しくはその国に対応して予め設定）により優先金種として割り当てを行い、一通りの仕分けが済んだ段階で、自動的に前記優先金種の割り当てをクリアし、識別された金種の順番に応じて順次スタッカに自動的に割り当てるか、或いは混在金種のスタッカに収納された紙幣の中で多い金種の順番に順次スタッカに自動的に割り当てるように構成しているので、次段階以降ではオペレータの特別な操作が不要となると共に、効率的な仕分け作業を実現することができる。
【発明を実施するための最良の形態】
【００１５】
本発明の紙幣仕分け処理装置は、金種によって紙幣の流通量が大きく相違することに着目してなされたものであり、スタッカの数よりも種類が多い金種の紙幣を効率的にかつ合理的に仕分けることが可能な紙幣仕分け処理装置である。紙幣仕分けの初期段階においては、流通量の多い金種をオペレータの手（若しくはその国に対応して予め設定）により優先金種として割り当てを行い、一通りの仕分けが済んだ段階で自動的に前記優先金種の割り当てをクリアし、識別された金種の順番に応じて順次スタッカに自動的に割り当てるか、或いは混在金種のストッカに収納された紙幣の中で多い金種の順番に順次スタッカに自動的に割り当てるように設定し、次の仕分けを行うようになっている。
【００１６】
以下に、本発明の実施の形態を、図面を参照して説明する。
【００１７】
図１は本発明の紙幣仕分け処理装置１０の外観構成例を示しており、筐体状本体上部には、入金処理或いは仕分け処理すべき一塊の金種混合紙幣を載置するホッパ１１が設けられており、前面パネルには必要なデータを表示したり、処理等を指示入力するための表示／操作部２０が設けられている。また、本体下部には、金種判別された紙幣を金種毎に仕分けして収納するための第１スタッカ１２１〜第３スタッカ１２３が区画されて設けられており、本体上部の端部には、ホッパー１１から繰り出された紙幣を識別部において識別した際に、識別不能なものや偽札と識別されたものをリジェクトして集積するためのリジェクト用スタッカ１３が設けられている。第１スタッカ１２１〜第３スタッカ１２３に対応して、その上部にはそれぞれの収納枚数を表示するためのスタッカＬＥＤ１７１〜１７３が配設されており、スタッカＬＥＤ１７１〜１７３は連続点灯表示又は点滅表示されるようになっている。また、第１スタッカ１２１〜第３スタッカ１２３は、収納紙幣をオペレータ等が外部から手で取り出すことができる構造となっている。
【００１８】
本例ではスタッカの数を３個とし、スタッカ１２１及び１２２は単一金種紙幣の収納に、スタッカ１２３は金種混合紙幣の収納に使用するようにしているが、これら数及び用途に限定されるものではない。
【００１９】
図２は表示／操作部２０の詳細を示しており、時間やエラーコード等を表示する液晶表示部２１と、金種判別や計数のデータを表示するＬＥＤで成るＬＥＤ表示部２２と、数値データを入力するテンキー２３と、操作の指示を行う操作キー２４とで構成されており、操作キー２４には入金処理或いは仕分け処理をスタート（再スタート）又は停止させる“ＳＴＡＲＴ／ＳＴＯＰ”キー２４１、データのクリアを指示する“ＣＬＥＡＲ”キー２４２、入力の受入れを指示する“ＡＣＣＥＰＴ”キー２４３、金種指定手段としての“ＭＡＮＵＡＬ”キー２４４等が含まれている。
【００２０】
また、図３は紙幣仕分け処理装置１０の断面構造を側面より示しており、ホッパ１１とリジェクト用スタッカ１３との間の搬送通路１８には金種判別、計数等を行う識別手段３０が設けられており、リジェクト用スタッカ１３の搬送通路１８には、搬送紙幣を下部の第１スタッカ１２１〜第３スタッカ１２３側の搬送通路１８Ａ又はリジェクト用スタッカ１３への搬送通路１８Ｂに振分けるための振分け板１４が設けられており、第１スタッカ１２１〜第３スタッカ１２３の上部の搬送通路１８Ａには、各スタッカ１２１〜１２３に対応して紙幣を下方に放出して各スタッカ１２１〜１２３に振分けて集積するための振分け板１５１及び１５２が設置されている。第１スタッカ１２１〜第３スタッカ１２３には、上部の搬送通路１８Ａから放出された紙幣を整列して収納するための羽根車１６１〜１６３が設けられており、ホッパー１１、搬送通路１８、１８Ａ、１８Ｂ及びスタッカ１２１〜１２３には紙幣の通過若しくは有無を検知するための各種センサＰＳ１〜ＰＳ１２及びＰＳ２１〜ＰＳ２３が設置されている。
【００２１】
即ち、ホッパー１１には載置紙幣の有無を検知するセンサＰＳ１が設けられており、搬送通路１８には紙幣の通過を検知するセンサＰＳ２〜ＰＳ５が設けられており、搬送通路１８Ａには紙幣の通過を検知するセンサＰＳ６〜ＰＳ１２が設けられ、搬送通路１８Ｂにはリジェクト紙幣の通過を検知するセンサＰＳ１３が設けられている。また、第１スタッカ１２１〜第３スタッカ１２３にはそれぞれ羽根車１６１〜１６３を介して放出される収納紙幣を検知するセンサＰＳ２１〜ＰＳ２３が設置されている。
【００２２】
図４は紙幣仕分け処理装置１０の内部構成例を示しており、全体の制御を行うＣＰＵ等で成る制御部４０には記憶手段４１が接続されると共に、表示／操作部２０、識別手段３０、紙幣の搬送等を行う搬送制御部が接続されている。また、上記センサＰＳ１〜ＰＳ１３及びＰＳ２１〜ＰＳ２３も制御部４０に接続されており、記憶手段４１内にはスタッカ１２１〜１２３の金種割り当てを記憶するスタッカ割り当て記憶部４１Ａが配置されている。更に制御部４０には、スタッカ割り当て記憶部４１Ａに記憶されている内容をクリアするスタッカ割り当てクリア部５１、装置が起動されたときに手動モードを自動的に設定する手動モード設定部５３が接続され、装置を手動設定モードから自動設定モードに切換える判定を行う自動設定モード切換判定部５２が接続されている。
【００２３】
このような構成において、その動作を図５及び図６のフローチャートを参照して説明する。
【００２４】
先ず電源をオン（ステップＳ１）にすると、手動モード設定部５３は紙幣仕分け処理装置１０を手動設定モードにし（ステップＳ２）、オペレータは表示／操作部２０（金種指定手段）を介して第１スタッカ１２１及び第２スタッカ１２２について金種の割り当てを行い（ステップＳ３）、スタッカ割り当て記憶部４１Ａに記憶する（ステップＳ４）。これにより、第１スタッカ１２１へ仕分ける紙幣の金種が定まり、第２スタッカ１２２へ仕分ける紙幣の金種が定まる。
【００２５】
このような初期設定終了後、入金処理或いは仕分け処理すべき一塊の金種混合紙幣をホッパ１１に載置し（ステップＳ５）、表示／操作部２０の“ＳＴＡＲＴ／ＳＴＯＰ”キー２４１を押下すると（ステップＳ７）、搬送制御部５０を介してホッパ１１に載置された紙幣が１枚ずつ分離されて搬送通路１８に沿って内部に繰り出され（ステップＳ１０）、識別手段３０に搬送されて金種判別や計数、真偽等の処理がされる（ステップＳ１１）。そして、識別結果に従って搬送制御部５０は振分け板１４、１５１、１５２等を制御し、識別された紙幣を該当する金種指定のスタッカ１２１又は１２３に収納すると共に、その他の金種（指定された金種以外の金種）の紙幣はスタッカ１２３に収納し、リジェクト紙幣はリジェクト用スタッカ１３にリジェクトする（ステップＳ１２）。
【００２６】
このような紙幣の仕分け中に、第１スタッカ１２１が紙幣で満杯になったか否かを判定し（ステップＳ２０）、第２スタッカ１２２が紙幣で満杯になったか否かを判定し（ステップＳ２１）、更に第３スタッカ１２３が紙幣で満杯になったか否かを判定し（ステップＳ２２）、いずれもが満杯になっていない場合は、ホッパー１１に紙幣が存在するか否かを判定する（ステップＳ３０）。ホッパー１１に紙幣が存在すれば上記ステップＳ１０にリターンして上記動作を繰返す。また、上記ステップＳ２０〜２２でいずれかスタッカが満杯になった場合は自動的に一時停止となり（ステップＳ２３）、スタッカＬＥＤ１７１〜１７３が点灯するのでそれを目印にして、オペレータは満杯になったスタッカの紙幣を抜取る（ステップＳ２４）。その後、“ＳＴＡＲＴ／ＳＴＯＰ”キー２４１を押下して再スタートする（ステップＳ２５）。
【００２７】
一方、ホッパー１１に紙幣が無いことが検知されると（ステップＳ３０）、自動設定モード切換判定部５２は自動設定モードへの切換条件になったか否かを判定し（ステップＳ３１）、自動設定モードへの切換条件と判定されると、スタッカ割り当てクリア部５１を介してスタッカ割り当て記憶部４１Ａに記憶されているスタッカ割り当てをクリアし（ステップＳ３２）、自動設定モードにする（ステップＳ３３）。その後、上記ステップＳ５にリターンして、上記動作を自動設定モードで繰返す。つまり、ホッパー１１に再載置された紙幣は、最初に識別された金種の紙幣が第１スタッカ１２１に収納され、次に識別された金種の紙幣が第２スタッカ１２２に収納され、その他の金種の紙幣は第３スタッカに収納される。
【００２８】
自動設定モード切換判定部５２における自動設定モードへの切換条件は、ホッパー１１に紙幣が無いことと、第１スタッカ１２１〜第３スタッカ１２３から紙幣が抜取られてたことの論理積条件である。
【００２９】
なお、上述では装置が起動されたときに手動設定モードとなり、オペレータが金種指定手段でスタッカに対する金種を指定するようになっているが、その国に応じたテーブルを記憶手段に格納しておき、金種割り当てを自動的に設定するようにしても良い。例えばユーロ紙幣専用の装置であれば、オペレータがわざわざ指定金種を入力する必要がないように、予め記憶手段に１００ユーロを第１スタッカに、５０ユーロを第２スタッカに指定するテーブルを格納しておき、固定的に自動設定するようにしても良い。
【００３０】
また、上述では自動設定モードにおいて、識別金種の順番にスタッカの割り当てを行うようにしているが、識別手段によって混在金種スタッカに収納された紙幣の金種とその数量は分かっている。従って、２回目の仕分けの際に、最初に検知した金種を第１スタッカに割り当てるのではなく、実際に一番多かった金種の紙幣を第１スタッカに割り当てるようにし、次に多い金種の紙幣を第２スタッカに割り当てるようにしても良い。
【００３１】
次に、本発明の具体的な実施例を説明する。
【００３２】
先ず、本発明の紙幣仕分け処理装置１０が図１及び図３に示すように３個のスタッカ１２１〜１２３を有するものとし、ユーロ紙幣（７金種）を仕分けする場合を例にとって説明する。
【００３３】
ユーロ紙幣は、その額面が５ユーロ、１０ユーロ、２０ユーロ、５０ユーロ、１００ユーロ、２００ユーロ、５００ユーロの７金種となっており、金種によって流通量に歴然とした差異が生じている。本紙幣仕分け処理装置１０は主としてやや規模の大きい小売店の出納室に設置され、業務終了後に各レジから集められた紙幣を纏めて一括で入金処理や仕分け処理を行うようになっている。銀行の出納室に設置されて、預金者が持参した紙幣を複数分纏めて処理することに使われることもある。
【００３４】
本紙幣仕分け処理装置１０は図１に示すように、１つのホッパー１１と、３個のスタッカ１２１〜１２３と、偽札或いは識別不能な紙幣を排除するリジェクト用スタッカ１３とを有している。ホッパー１１の容量は５００枚、各スタッカ１２１〜１２３の容量は３００枚、リジェクト用スタッカ１３の容量は５０枚となっている。
【００３５】
ホッパー１１に載置された紙幣は最下層のものから順次１枚ずつ繰り出され、約７００枚／分の処理速度で処理されるようになっており、５００枚の紙幣は約４３秒で処理が完了することになる。１回に載置される数量は５００枚と制限されてはいるが、随時追加投入が可能なので、一度に処理する紙幣量が１０００枚程度あったとしても、連続して仕分け処理することができる。
【００３６】
本実施例では、仕分け処理すべき紙幣が図７に示すように合計１１００枚の紙幣であった場合を説明する。本例の金種明細は、５ユーロが１５０枚、１０ユーロが１５０枚、２０ユーロが１５０枚、５０ユーロが１５０枚、１００ユーロが４００枚、２００ユーロが５０枚、５００ユーロが５０枚となっている。処理に先立ちオペレータは、第１スタッカ及び第２スタッカに対し、流通量の多い金種として知られている５／１０／２０／５０／１００ユーロの中から何れかの金種を割り当てる金種指定（スタッカ割り当て）を１回だけ行う。このスタッカ割り当ての有効性は、“ＳＴＡＲＴ／ＳＴＯＰ”キー２４１の押下からホッパー１１に紙幣が検知されなくなり、且つ第１スタッカ１２１〜第３スタッカ１２３の全てから紙幣が取り出されるまでとなっている。
【００３７】
オペレータが前記１１００枚の紙幣を処理するに際し、第１スタッカ１２１に１００ユーロを割り当て、第２スタッカ１２２に５ユーロを割り当てたとする。搬送通路１８の途中に設けられている識別手段３０により各紙幣の金種が識別され、１００ユーロと判定されたものは第１スタッカ１２１に搬送され、５ユーロと判定されたものは第２スタッカ１２２に搬送され、それ以外の金種と判定されたものは第３スタッカ１２３に搬送され、偽札と判定されたものや汚損のための金種判定不能と判定されたものはリジェクト用スタッカ１３に搬送される。
【００３８】
この１１００枚の紙幣を一括でホッパー１１に載置することはできないので、例えば図７に示すように３回分に分けて処理したとする。１回目載置分の４５０枚には割り当て指定を受けた５ユーロが含まれており、この順番でホッパー１１に載置されたとすれば、５ユーロが連続して第２スタッカ１２２に１５０枚送られて収納され、次いで割り当て指定を受けていない１０ユーロ１５０枚と２０ユーロ１５０枚が第３スタッカ１２３に送られてホッパー１１が空となり、第３スタッカ１２３に満杯が表示され、これに促されオペレータが第３スタッカ１２３から紙幣を全部抜き取る。
【００３９】
この１回目終了時のホッパー１１／スタッカ１２１〜１２３の状況は、ホッパー１１：空、第１スタッカ１２１：空、第２スタッカ１２２：１５０枚残存、第３スタッカ１２３：空となっており、第１スタッカ１２１及び第２スタッカ１２２への金種割り当ては維持される。
【００４０】
次に、第２回目載置分の３５０枚の処理に移る。
【００４１】
割り当て指定を受けていない５０ユーロ１５０枚が第３スタッカ１２３に搬送され、次いで割り当て指定を受けた１００ユーロ２００枚が第１スタッカ１２１に搬送され、ホッパー１１が空となる。
【００４２】
この２回目終了時のホッパー１１／スタッカ１２１〜１２３の状況は、ホッパー１１：空、第１スタッカ１２１：２００枚残存、第２スタッカ１２２：１５０枚残存、第３スタッカ１２３：１５０枚残存となっており、第１スタッカ１２１及び第２スタッカ１２２への金種割り当ては維持される。
【００４３】
次に、第３回目載置分の３００枚の処理に移る。
【００４４】
割り当てを受けた１００ユーロが第１スタッカ１２１へ搬送され、第１スタッカ１２１の収納紙幣が３００枚となったところで、ホッパー１１における繰り出し動作が一旦停止される。第１スタッカ１２１に満杯が表示され、これに促されオペレータが第１スタッカ１２１から紙幣を全部抜き取る。
【００４５】
満杯解消を受けて装置は繰り出しを再開させ、残った１００ユーロを第１スタッカ１２１に送り、次いで割り当て指定を受けていない２００ユーロと５００ユーロが第３スタッカ１２３に送られ、ホッパー１１が空となる。この３回目終了時のホッパー１１／スタッカ１２１〜１２３の状況は、ホッパー１１：空、第１スタッカ１２１：１００枚残存、第２スタッカ１２２：１５０枚残存、第３スタッカ１２３：２５０枚残存となっており、第１スタッカ１２１及び第２スタッカ１２２への金種割り当ては維持される。
【００４６】
オペレータはこの３回目が終了した時点で、他に処理すべき紙幣が存在しないことを確認し、第２段階の仕分け処理を行うべく、第１スタッカ１２１〜第３スタッカ１２３の紙幣を全て抜き取る。この瞬間、ホッパー１１：空、第１スタッカ１２１〜第３スタッカ１２３：全て空の条件を満たすことになり、自動設定モード切換判定の条件が満たされるので、設定されている金種割り当てがクリアされる。
【００４７】
第２段階の仕分け処理は次のようにして行われる。
【００４８】
第１スタッカ１２１〜第３スタッカ１２３から紙幣を抜き取り、全てのスタッカ１２１〜１２３内を空にした状態で、混合金種５５０枚についての金種紙幣の仕分けを行うべく、これらをホッパー１１に再載置して“ＳＴＡＲＴ／ＳＴＯＰ”キー２４１を押下する。既に第１スタッカ１２１及び第２スタッカ１２２への金種割り当てがクリアされているので、今度は自動設定モードが作用する。自動設定モードとは、最初に識別した金種を第１スタッカ１２１へ、その金種以外で２番目に識別した金種を第２スタッカ１２２へ、更に３番目以降に識別した金種を第３スタッカ１２３へ割り当てるモードのことである。
【００４９】
具体的には、最下層の紙幣の金種が１０ユーロであると判定された場合、この１０ユーロを第１スタッカ１２１への割り当て金種とし、以後の１０ユーロを全て第１スタッカ１２１へ搬送して収納する。２番目に識別した金種が２０ユーロと判定されると、この２０ユーロを第２スタッカ１２２への割り当て金種とし、３番目以降に識別される５０ユーロ、２００ユーロ、５００ユーロは第３スタッカ１２３への割り当て金種とする。
【００５０】
この自動設定モードが終了した段階では、本ケースにおいて、第１スタッカ１２１に１５０枚の１０ユーロが収納され、第２スタッカ１２２に１５０枚の２０ユーロが収納され、第３スタッカ１２３に２５０枚の５０ユーロ、２００ユーロ、５００ユーロが混在して収納される。第１スタッカ１２１〜第３スタッカ１２３から紙幣を抜き取って、もう一度自動設定モードを繰り返せば、全ての金種についての単一金種仕分けが完了することになる。
【００５１】
以上、３個のスタッカ１２１〜１２３で７金種を仕分ける場合について説明したが、本発明はスタッカ数が限定されるものではない。例えば４個のスタッカで７金種を仕分けすれば、２回の操作で全ての金種を単一金種に仕分けることができることは自明である。
【００５２】
なお、仕分け処理される対象紙幣の種類がランダムに混じり合っていても、本発明が有効であることは言うまでもない。
【図面の簡単な説明】
【００５３】
【図１】本発明に係る紙幣仕分け処理装置の外観図である。
【図２】表示・操作部の詳細図である。
【図３】紙幣の搬送経路を主として示す内部構造図である。
【図４】本発明の内部構成例を示すブロック図である。
【図５】本発明の金種仕分け手順を示すフローチャートの一部である。
【図６】本発明の金種仕分け手順を示すフローチャートの一部である。
【図７】仕分け処理すべき１処理分の紙幣の量を模式的に示す図である。
【符号の説明】
【００５４】
１０                    紙幣仕分け処理装置
１１                    ホッパー
１３                    リジェクト用スタッカ
１４，１５１，１５２    振分け板
１８，１８Ａ，１８Ｂ    搬送通路
２０                    表示／操作部
３０                    識別手段
４０                    記憶手段
４１Ａ                  スタッカ割り当て記憶部
５０                    搬送制御部
５１                    スタッカ割り当てクリア部
５２                    自動設定モード切換判定部
５３                    手動モード設定部
１２１〜１２３          スタッカ
【図１】
2005165806.tif 000003
【図２】
2005165806.tif 000004
【図３】
2005165806.tif 000005
【図４】
2005165806.tif 000006
【図５】
2005165806.tif 000007
【図６】
2005165806.tif 000008
【図７】
2005165806.tif 000009